(57)【要約】  従来技術において様々なコーヒーカプセルが公知である。最も公知のカプセルは封止箔を有するアルミニウム体から成る。本体は円錐形に構成されることにより、抽出機から取り外しができる。カプセル底部には突出したフランジが配置される。これは、抽出機が密封しながらカプセルに近づき、続いて熱湯を圧力によりカプセルに注入するために不可欠である。本発明は従来技術に改良又は代替を提供するという課題に基づいている。本特許出願は多くの、特に素材の選択及びカプセルの形状についての発明の手がかりを紹介する。【選択図】なし
2016501561.tif 000002
【特許請求の範囲】
【請求項１】
コーヒー、茶などの抽出材料の受容のための、及び、特に熱い、ほぼ沸騰した、又は加熱された水である抽出媒体が加えられるとき、カプセル内で抽出をするための容器としてのカプセルであり、そのとき前記カプセルは、抽出機内の前記カプセルの企図された流動方向により、前記抽出媒体の流入又は流出のために穿孔器が穿刺するカプセル頭部を有し、さらに特に底部箔である底部封止によって封止されたカプセル底部を有し、前記カプセル頭部から前記カプセル底部に延在し、好適には少なくとも略円錐台形に、又は別の形で前記カプセル底部から前記カプセル頭部に向けて先細りするカプセル壁を有し、そのとき前記カプセルには好適には前記抽出材料が充填され、前記カプセル頭部及び／又は前記カプセル壁及び／又は前記カプセル底部、特に前記カプセル底部に配置されたフランジが合成油脂を有し、具体的には、
・ポリブチレンテレフタレート（ＰＢＴ）及び／又は  ＰＢＴ系合成樹脂
及び／又は
・次の性質のうちの２、３、４、５、６、７、８、９、１０、１１、１２、１３、１４、１５又は全１６項を有する前記合成樹脂を有することを特徴とする：
○  試験規格ＩＳＯ３０７、１１５７、１６２８に基づく粘度数が８０から１００、特に８３から９３、特に約８８ｃｍ３／ｇであり、０，００５ｇ／ｍｌのフェノールと１，２のジクロロベンゼンの比が１：１である溶液を有する；
○  試験規格ＩＳＯ６２（類似）に基づく吸水率（２３℃の水で飽和）が０，３から０，７％、特に約０，５％；
○  試験規格ＩＳＯ６２（類似）に基づく吸湿率（平常の天候の際２３℃及び５０％の相対湿度で飽和）が０，２から０，３％、特に約０，２５％；
○  試験規格ＩＳＯ１１３３に基づくメルトボリュームレートＭＶＲ（２５０℃及び２，１６ｋｇのとき）が９０から１３０、特に１００から１２０、特に１１０ｃｍ３／１０分；
○  射出成形における加工のための溶融温度範囲が２３５から２８５℃、特に２４５℃から２７５℃又はこの間隔内；
○  射出成形における加工のための工具温度範囲が３５℃から８０℃、特に４０℃から７０℃、又はこの間隔内；
○  試験規格ＩＳＯ５２７−１／−２（１ｍｍ／分）に基づく弾性率が２１００から３１００ＭＰａ、特に２２００から２６００ＭＰａ、特に約２４００ＭＰａ；
○  試験規格ＩＳＯ５２７−１／−２（５０ｍｍ／分）に基づく降伏応力が５１から６１ＭＰａ、特に約５６ＭＰａ；
○  試験規格ＩＳＯ５２７−１／−２（５０ｍｍ／分）に基づく降伏歪みが１，８％から２，８％、特に約２，３％；
○  試験規格ＩＳＯ５２７−１／−２（５０ｍｍ／分）に基づく公称破断歪みが１０％から１８％、特に約１４％；
○  試験規格ＩＳＯ１７９／ｌｅＵに基づくシャルピー衝撃値（２３℃のとき）が１１２から１３２ｋＪ／ｍ２、特に約１２２  ｋＪ／ｍ２；
○  試験規格ＩＳＯ１７９／ｌｅＡに基づくシャルピー切欠き衝撃値（２３℃のとき）が２，７から３，７ｋＪ／ｍ２、好適には３，０から３，４ｋＪ／ｍ２、特に約３，２ｋＪ／ｍ２；
○  試験規格ＩＳＯ７５−１／−２に基づくＨＤＴ−Ａ値（最大１，８Ｎ／ｍｍ２までの曲げ応力下での耐熱変形性）が４９℃から５９℃、特に約５４℃；
○  試験規格ＩＳＯ７５−１／−２に基づくＨＤＴ−Ｂ値（最大０，４５Ｎ／ｍｍ２までの曲げ応力下での耐熱変形性）が１１２から１５２℃、より良好には１２７から１４７℃さらに良好には１３２から１４２℃、特に約１３７℃；
○  試験規格ＩＳＯ３０６（ＶＳＴ／Ａ／５０、１０Ｎ、５０Ｋ／ｈ）に基づくビカット軟化温度が２０１℃から２３１℃、より良好には２０６℃から２２６℃、特に約２１６℃；及び／又は、
○  試験規格ＩＳＯ３０６（ＶＳＴ／Ｂ／５０、１０Ｎ、５０Ｋ／ｈ）に基づくビカット軟化温度が１６５℃から１９５℃、より良好には１７０℃から１９０℃、特に約１８０℃である。
【請求項２】
前記カプセル頭部及び／又は前記カプセル壁及び／又は前記カプセル底部、特に前記カプセル底部に配置されたフランジが前記合成樹脂の球体圧入硬度を低下させる修正を混合物の形で有することを特徴とする、請求項１に記載のカプセル。
【請求項３】
前記修正、特に前記混合物が熱可塑性エラストマー、好適には熱可塑性ゴム（ＴＰＫ）を有することを特徴とする、請求項１又は２に記載のカプセル。
【請求項４】
前記人工樹脂との前記混合物が均質な混合に加工されることを特徴とする、請求項２又は３のいずれか一項に記載のカプセル。
【請求項５】
前記カプセル頭部及び／又は前記カプセル壁が、特に混合物の形のガスバリア性材料を有し、そのとき前記ガスバリア性材料が、前記合成樹脂に対する酸素からのガス発生を低減することを特徴とする、請求項１に記載のカプセル。
【請求項６】
前記ガスバリア性材料が、特にシリカであるシリコンを有し、及び／又は前記ガスバリア性材料が混合ポリアミドを有し、及び／又は前記ガスバリア性材料がアルコール溶液を用いて塗付され、特に噴射され、又は浸漬浴で塗付され、及び／又は前記合成樹脂が壁として形成され、そのとき前記ガスバリア性材料はバリア層として壁上に表面層として配置され、さらに前記カプセルの外側及び／又は内側に向けられることを特徴とする、請求項５に記載のカプセル。
【請求項７】
表面層が前記全表面を前記内側及び／又は前記外側に向かって被い、及び／又は前記表面層は少なくとも３０ｎｍ又は４０ｎｍの層厚を有し、好適には少なくとも約７０ｎｍを有し、特に中間の層厚は７０ｎｍから７５ｎｍであり、及び／又は前記表面層がプラズマ蒸着層であることを特徴とする、請求項６に記載のカプセル。
【請求項８】
コーヒー、茶などの抽出材料の受容のための、及び、特に熱い、ほぼ沸騰した、又は加熱された水である抽出媒体が加えられるとき、カプセル内で抽出をするための容器としてのカプセルであり、そのとき前記カプセルは、抽出機内の前記カプセルの企図された流動方向により、前記抽出媒体の流入又は流出のために穿孔器が穿刺するカプセル頭部を有し、さらに特に底部箔である底部封止によって封止されたカプセル底部を有し、前記カプセル頭部から前記カプセル底部に延在し、好適には少なくとも略円錐台形に、又は別の形で前記カプセル底部から前記カプセル頭部に向けて先細りするカプセル壁を有し、そのとき前記カプセルには好適には前記抽出材料が充填され、前記カプセル頭部が、前記カプセル底部上に立つカプセルの場合、平らに延びる頭部領域を有し、そのとき前記頭部領域が連続的に閉鎖されて成形され、特に少なくとも約０，３ｍｍ又は少なくとも約０，３５ｍｍの壁厚を有し、そのとき前記頭部領域内により薄い壁厚を有する、弱化された領域が設けられることを特徴とする、特に先行する請求項のいずれか一項に記載のカプセル。
【請求項９】
前記弱化された領域が約０，１５ｍｍから約０，３ｍｍの壁厚を有することを特徴とする、請求項８に記載のカプセル。
【請求項１０】
前記弱化された領域が半径方向外側に、つまり前記カプセル壁の方向にも、半径方向内側、つまり前記カプセル頭部の中心に向かう方向にも、隣接した、前記弱化された領域より強い壁厚があり、そのとき前記弱化された領域が、好適にその周りを巡る、壁厚という観点で弱化された環を有し、前記弱化された環に対して導入された開封ナイフは、前記隣接する壁厚を通すよりもさらに容易に進入できることを特徴とする、請求項８又は９に記載のカプセル。
【請求項１１】
前記弱化された環が、周囲の壁厚の７５％以下、特に５０％以下、好適には２５％から３５％、及び／又は特に０，１ｍｍから０，３ｍｍ、特に約０，１５ｍｍから０，２５ｍｍの壁厚を有し、そのとき前記周囲の壁厚は好適には０，３ｍｍから１ｍｍ、特に０，３５から０，７ｍｍ、特に約０，５ｍｍであることを特徴とする、請求項１０に記載のカプセル。
【請求項１２】
前記カプセル底部上に立つカプセルの場合、前記弱化された環を通る直交線が垂直線に対して３０°以下、好適には１５°から２５°の鋭角を占めることを特徴とする、請求項１０又は１１に記載のカプセル。
【請求項１３】
前記弱化された領域、特に前記弱化された環、半径方向外側から及び／又は半径方向内側から生じる、好適には環状の壁厚の先細りを前記頭部領域の内側に有し、それに対し前記頭部領域の外側に、前記弱化された領域の境界の、好適には全ての領域の表面が同一平面上を通るため、前記弱化領域の前記薄い壁厚が外からは不可視であることを特徴とする、請求項８から１２のいずれか一項に記載のカプセル。
【請求項１４】
コーヒー、茶などの抽出材料の受容のための、及び、特に熱い、ほぼ沸騰した、又は加熱された水である抽出媒体が加えられるとき、カプセル内で抽出をするための容器としてのカプセルであり、そのとき前記カプセルは、抽出機内の前記カプセルの企図された流動方向により、前記抽出媒体の流入又は流出のために穿孔器が穿刺するカプセル頭部を有し、さらに特に底部箔である底部封止によって封止されたカプセル底部を有し、前記カプセル頭部から前記カプセル底部に延在し、好適には少なくとも略円錐台形に、又は別の形で前記カプセル底部から前記カプセル頭部に向けて先細りするカプセル壁を有し、そのとき前記カプセルには好適には前記抽出材料が充填され、前記カプセル頭部が全体的に円蓋のように湾曲し、そのとき中央領域は平らで、同様に円蓋形又は特に窪み形に形成されることができ、そのとき前記円蓋形は球状であることを特徴とする、特に先行する請求項のいずれか一項に記載のカプセル。
【請求項１５】
コーヒー、茶などの抽出材料の受容のための、及び、特に熱い、ほぼ沸騰した、又は加熱された水である抽出媒体が加えられるとき、カプセル内で抽出をするための容器としてのカプセルであり、そのとき前記カプセルは、抽出機内の前記カプセルの企図された流動方向により、前記抽出媒体の流入又は流出のために穿孔器が穿刺するカプセル頭部を有し、さらに特に底部箔である底部封止によって封止されたカプセル底部を有し、前記カプセル頭部から前記カプセル底部に延在し、好適には少なくとも略円錐台形に、又は別の形で前記カプセル底部から前記カプセル頭部に向けて先細りするカプセル壁を有し、そのとき前記カプセルには好適には前記抽出材料が充填され、前記カプセル頭部が前記カプセル底部上に立つカプセルの場合、平らに延びる頭部領域を有し、そのとき前記頭部は半径方向の延在方向要素を有する多数の溝を有し、特に多数の半径方向に配置された溝を有することを特徴とする、特に先行する請求項のいずれか一項に記載のカプセル。
【請求項１６】
前記溝が移行縁の周囲を前記頭部領域から前記カプセル壁に向かって続き、そのとき好適には前記カプセル壁の溝が外側に設けられるが、前記カプセル壁は前記カプセルの内側で平滑であることを特徴とする、請求項１５に記載のカプセル。
【請求項１７】
前記溝が前記頭部領域の内部で平滑な表面を有する穿刺領域を回避することを特徴とする、請求項１５又は１６に記載のカプセル。
【請求項１８】
コーヒー、茶などの抽出材料の受容のための、及び、特に熱い、ほぼ沸騰した、又は加熱された水である抽出媒体が加えられるとき、カプセル内で抽出をするための容器としてのカプセルであり、そのとき前記カプセルは、抽出機内の前記カプセルの企図された流動方向により、前記抽出媒体の流入又は流出のために穿孔器が穿刺するカプセル頭部を有し、さらに特に底部箔である底部封止によって封止されたカプセル底部を有し、前記カプセル頭部から前記カプセル底部に延在し、好適には少なくとも略円錐台形に、又は別の形で前記カプセル底部から前記カプセル頭部に向けて先細りするカプセル壁を有し、そのとき前記カプセルには好適には前記抽出材料が充填され、前記カプセルが電子通信装置のためのレスポンダを有するため、抽出機に配置された通信装置が無線で前記カプセルからの情報を得ることができることを特徴とする、特に先行する請求項のいずれか一項に記載のカプセルであり、そのとき前記レスポンダは、
・  無線で読み取り可能なデータ記憶媒体、特にバーコード担持体又は共振回路、特にＲＦＩＤチップを有し、及び／又は  
・誘導センサ用に読み取ることができ、そのために前記レスポンダが前記カプセルの前記人工樹脂用の導電性混合物を有し、及び／又は特に金属製の溝又はニットである導体層を有する。
【請求項１９】
コーヒー、茶などの抽出材料の受容のための、及び、特に熱い、ほぼ沸騰した、又は加熱された水である抽出媒体が加えられるとき、カプセル内で抽出をするための容器としてのカプセルであり、そのとき前記カプセルは、抽出機内の前記カプセルの企図された流動方向により、前記抽出媒体の流入又は流出のために穿孔器が穿刺するカプセル頭部を有し、さらに特に底部箔である底部封止によって封止されたカプセル底部を有し、前記カプセル頭部から前記カプセル底部に延在し、好適には少なくとも略円錐台形に、又は別の形で前記カプセル底部から前記カプセル頭部に向けて先細りするカプセル壁を有し、そのとき前記カプセルには好適には前記抽出材料が充填され、そのとき前記カプセル底部は円環板状のフランジを有し、そのとき前記フランジの上側、つまり前記フランジのカプセル頭部の方向を示す側が、抽出機のシーリングリングと協働するためのシール面として設計され、前記上側が半径方向に前記フランジの半径方向の外縁内に、好適には前記外縁よりも前記カプセル壁により近接して配置された環状の隆起部形ウェブシールを有し、そのとき好適には前記フランジに第２環状隆起部が、特に前記フランジの前記外縁に設けられることを特徴とする、特に先行する請求項のいずれか一項に記載のカプセル。
【請求項２０】
前記ウェブシールが前記第２環状隆起部より高く前記フランジから突出することを特徴とする、請求項１９に記載のカプセル。
【請求項２１】
コーヒー、茶などの抽出材料の受容のための、及び、特に熱い、ほぼ沸騰した、又は加熱された水である抽出媒体が加えられるとき、カプセル内で抽出をするための容器としてのカプセルであり、そのとき前記カプセルは、抽出機内の前記カプセルの企図された流動方向により、前記抽出媒体の流入又は流出のために穿孔器が穿刺するカプセル頭部を有し、さらに特に底部箔である底部封止によって封止されたカプセル底部を有し、前記カプセル頭部から前記カプセル底部に延在し、好適には少なくとも略円錐台形に、又は別の形で前記カプセル底部から前記カプセル頭部に向けて先細りするカプセル壁を有し、そのとき前記カプセルには好適には前記抽出材料が充填され、前記カプセル壁がその前記外側に向いた表面に、前記カプセル壁の高さの一部のみを超えて延在する溝又は波形を有することを特徴とする、特に先行する請求項のいずれか一項に記載のカプセル。
【請求項２２】
前記カプセル底部上に立つカプセルの場合、垂直で中心的な、その上に前記溝又は波形を投射できる前記カプセル体の回転軸があることを特徴とする、請求項２１に記載のカプセル。
【請求項２３】
コーヒー、茶などの抽出材料の受容のための、及び、特に熱い、ほぼ沸騰した、又は加熱された水である抽出媒体が加えられるとき、カプセル内で抽出をするための容器としてのカプセルであり、そのとき前記カプセルは、抽出機内の前記カプセルの企図された流動方向により、前記抽出媒体の流入又は流出のために穿孔器が穿刺するカプセル頭部を有し、さらに特に底部箔である底部封止によって封止されたカプセル底部を有し、前記カプセル頭部から前記カプセル底部に延在し、好適には少なくとも略円錐台形に、又は別の形で前記カプセル底部から前記カプセル頭部に向けて先細りするカプセル壁を有し、そのとき前記カプセルには好適には前記抽出材料が充填され、前記カプセル壁が下部円錐台形領域及び上部円錐台形領域を有し、そのとき前記上部円錐台形領域が前記下部円錐台形領域より急傾斜の壁の傾斜を有し、そのとき好適には前記両円錐台形領域の間に、前記下部円錐台形領域の上端を前記上部円錐台形領域の下端に移行させ、特に好適には円錐台形の環として形成される凸部が配置されることを特徴とする、特に先行する請求項のいずれか一項に記載のカプセル。
【請求項２４】
前記カプセル壁が、３つの円錐台形領域を有し、それらはつまり前記下部円錐台形領域、前記上部円錐台形領域、場合によりそれらの間の凸部、及び前記カプセル底部上に立つカプセルの場合、付加的に前記下部円錐台形領域の下にある第３円錐台形領域であり、そのとき好適には前記下部円錐台形領域が前記第３円錐台形領域より急傾斜の壁の傾斜を有することを特徴とする、請求項２３に記載のカプセル。
【請求項２５】
コーヒー、茶などの抽出材料の受容のための、及び、特に熱い、ほぼ沸騰した、又は加熱された水である抽出媒体が加えられるとき、カプセル内で抽出をするための容器としてのカプセルであり、そのとき前記カプセルは、抽出機内の前記カプセルの企図された流動方向により、前記抽出媒体の流入又は流出のために穿孔器が穿刺するカプセル頭部を有し、さらに特に底部箔である底部封止によって封止されたカプセル底部を有し、前記カプセル頭部から前記カプセル底部に延在し、好適には少なくとも略円錐台形に、又は別の形で前記カプセル底部から前記カプセル頭部に向けて先細りするカプセル壁を有し、そのとき前記カプセル底部は、前記カプセル底部上に立つカプセルの場合、その上方に向かう側の上に、そこに配置することができる抽出機から導入される環状のダイを備えたシールを有する、環装されたフランジを有し、そのとき前記カプセルには好適には前記抽出材料が充填され、前記シールが環装されたシールウェブを有し、そのとき前記シールウェブは、前記カプセルに関して半径方向に位置する断面において２つの側面と１つの先端を有し、そのとき両側面が傾斜し、前記先端は平坦に形成されることを特徴とする、特に先行する請求項のいずれか一項に記載のカプセル。
【請求項２６】
前記シールウェブの両側面が断面において同一の傾斜を有することを特徴とする、請求項２５に記載のカプセル。
【請求項２７】
前記先端が好適には断面で少なくとも略水平に、前記フランジの締め付け面に平行に延びる平面を形成することを特徴とする、請求項２５又は２６に記載のカプセル。
【請求項２８】
前記シールウェブが前記フランジから離れるところで、半径幅約０，３５ｍｍから０，６０ｍｍ、特に約０，４０ｍｍから０，５０ｍｍ、特に約０，４４ｍｍを有することを特徴とする、請求項２５から２７のいずれか一項に記載のカプセル。
【請求項２９】
前記シールウェブが前記フランジに対して、その先端とともに約０，５ｍｍから０，７ｍｍ、特に約０，６ｍｍの高さを有することを特徴とする、請求項２５から２８のいずれか一項に記載のカプセル。
【請求項３０】
前記シールウェブがその先端とともに断面において前記フランジに対して、付加的に設けられた、前記フランジの半径方向外縁に配置された環装された第２シールリングより高く突出し、そのとき前記シールリングは好適には同様に、前記フランジのその上に前記シールウェブが配置された側に略丸形の断面形状を有することを特徴とする、請求項２５から２９のいずれか一項に記載のカプセル。
【請求項３１】
前記シールウェブが前記シールリングより約０，２ｍｍから０，３２ｍｍ、特に約０，２６ｍｍ高いことを特徴とする、請求項３０に記載のカプセル。
【請求項３２】
前記シールウェブが前記側面から前記先端への移行部で、特に半径約０，０５ｍｍの丸みを有することを特徴とする、請求項２５から３１のいずれか一項に記載のカプセル。
【請求項３３】
前記側面が少なくともそれらの断面における延在の一部に渡り、垂直に対して同角度で傾斜することを特徴とする、請求項２５から３２のいずれか一項に記載のカプセル。
【請求項３４】
前記側面が断面において垂直に対して、約５°から１０°、特に約６°から８°、特に約７，１２５°の角度で傾斜することを特徴とする、請求項２５から３３のいずれか一項に記載のカプセル。
【請求項３５】
前記シールウェブが、前記フランジと一体的に形成されていることを特徴とする、請求項２５から３４のいずれか一項に記載のカプセル。
【請求項３６】
コーヒー、茶などの抽出材料の受容のための、及び、特に熱い、ほぼ沸騰した、又は加熱された水である抽出媒体が加えられるとき、カプセル内で抽出をするための容器としてのカプセルであり、そのとき前記カプセルは、抽出機内の前記カプセルの企図された流動方向により、前記抽出媒体の流入又は流出のために穿孔器が穿刺するカプセル頭部を有し、さらに特に底部箔である底部封止によって封止されたカプセル底部を有し、前記カプセル頭部から前記カプセル底部に延在し、好適には少なくとも略円錐台形に、又は別の形で前記カプセル底部から前記カプセル頭部に向けて先細りするカプセル壁を有し、そのとき前記カプセル底部は、前記カプセル底部上に立つカプセルの場合、その下方に向かう側に封止箔を有する環装されたフランジを有し、そのとき前記封止箔は好適には、特に抗酸化作用のあるシールラック層とともに下方に向けられ、特にアルミニウムである金属を有する内部層及び、前記カプセル底部の前記フランジの前記合成樹脂との接続をするためのヒートシール接着剤層を有する多層箔として形成され、そのとき前記カプセルには好適には前記抽出材料が充填され、そのとき前記封止箔が前記フランジと前記ヒートシール接着剤を用いて密着される、特に先行する請求項のいずれか一項に記載のカプセル。
【請求項３７】
前記ヒートシール接着剤が前記ヒートシール接着剤の前記合成樹脂と約２０５℃から約２２５℃、特に約２１０℃から２２０℃の温度で接着されることを特徴とする、請求項３６に記載のカプセル。
【請求項３８】
前記アルミニウムが坪量３から１０ｇ／ｑｍ、特に約６ｇ／ｑｍを有することを特徴とする、請求項３６又は３７に記載のカプセル。
【請求項３９】
コーヒー、茶などの抽出材料の受容のための、及び、特に熱い、ほぼ沸騰した、又は加熱された水である抽出媒体が加えられるとき、カプセル内で抽出をするための容器としてのカプセルであり、そのとき前記カプセルは、抽出機内の前記カプセルの企図された流動方向により、前記抽出媒体の流入又は流出のために穿孔器が穿刺するカプセル頭部を有し、さらに特に底部箔である底部封止によって封止されたカプセル底部を有し、前記カプセル頭部から前記カプセル底部に延在し、好適には少なくとも略円錐台形に、又は別の形で前記カプセル底部から前記カプセル頭部に向けて先細りするカプセル壁を有し、そのとき前記カプセル壁はその上部三分の一又はその上部半分において同一の壁厚を有し、前記カプセル壁が、上部半分、又は上部三分の一のところに前記カプセル壁から内側に突出した積層突起、特に継続的又は断続的に形成された環装された環を、又は好適には被連続的な積層突起又は積層リブとして、特に上方に後退なくカプセル頭部まで延在する積層リブとして有することを特徴とするカプセル。
【請求項４０】
前記積層突起が、前記カプセル壁から前記カプセル頭部への前記移行部における外径より小さい自由内径を有し、２つの同一の重なり合ったカプセルの場合に、前記内側のカプセルのカプセル壁からカプセル頭部への前記移行部が、前記外側のカプセルの前記積層突起で停止することを特徴とする、請求項３９に記載のカプセル。
【請求項４１】
複数の、特に全ての先行する請求項に記載のカプセル。
【請求項４２】
前記カプセルがそのカプセル底部で封止箔によって封止されることを特徴とする、先行する請求項のいずれか一項に記載のカプセル。
【請求項４３】
特に先行する請求項のいずれか一項に記載のカプセルであるカプセルを、そのカプセル底部で封止箔によって封止する方法であり、そのとき前記封止箔は、特に抗酸化作用のあるシールラック層とともに下方に向けられ、特にアルミニウムである金属を有する内部層及び、前記カプセル底部の前記フランジの前記合成樹脂との接着をするためのヒートシール接着剤層を有する多層箔として、次の工程で形成される
ａ．８０Ｎから１４０Ｎ、より良好には１００Ｎから１２０Ｎ、特に約１１０Ｎの力で前記箔を前記フランジに押圧し、
ｂ．  約０，３ｓから０，７ｓ、特に約０，５ｓの封印時間を設け、
ｃ．  約２０５℃から２２５℃、特に約２１０℃から２２０℃、しかし好適にはいずれの場合も少なくとも２０５℃の温度でのヒートシール接着剤側の封印工程の終了を待つ。
【発明の詳細な説明】
【技術分野】
【０００１】
本発明は、コーヒー、茶などの抽出材料を受容し、カプセル内で抽出するためのカプセル、及びそのようなカプセルを封止する方法に関する。
【背景技術】
【０００２】
汎用のカプセルは例えば特許文献１から公知である。
【先行技術文献】
【特許文献】
【０００３】
【特許文献１】米国特許出願公開第２００５／０１８３５７８Ａ１号明細書
【発明の概要】
【発明が解決しようとする課題】
【０００４】
本発明は、従来技術の改良、又は代替を提供するという課題に基づいている。
【課題を解決するための手段】
【０００５】
この課題は、各独立請求項の主題により、それ自体で、しかし特に任意の組み合わせによって解決される。任意の有利な実施形態は、従属請求項、明細書及び図面に開示される。
【０００６】
そこで、本発明の第１の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセルは、カプセル頭部及び／又はカプセル壁が、好適にはポリブチレンテレフタレート（ＰＢＴ）及び／又はＰＢＴ系合成樹脂である合成樹脂を有することを特徴とし、そのときカプセル頭部及び／又はカプセル壁が合成樹脂の球体圧入硬度を低下させる修正を有する。
【０００７】
「カプセル」とは独立し、固定した部品であるという概念を説明しておきたい。そのためカプセルは例えば柔らかいパッド、及びもちろん備蓄包装として考えられた大型の箱又は袋などとも区別される。カプセルは１杯分のカプセルと理解される。
【０００８】
一般的な構造という観点から、本特許出願は実質的に１つのカプセルの３つの部分、すなわちカプセル頭部、カプセル壁、及びカプセル底部を定義する。カプセル底部は、例えばコーヒー飲料、茶飲料、乳飲料、又は例えばスープ飲料のような抽出飲料の定められた流出側である。
【０００９】
カプセル底部には底面封止が配置されている。市場に既存の従来の機械では、そのようなカプセルは通常、ほぼ水平に寝かせた状態で挿入されることができる。しかしカプセルは、平常は簡単にカプセル底部上に、つまりそこに一般に配置される封止箔上に立たせることができる。本特許出願の枠内では、理解を容易にするため、原則として、記述される時点で、カプセルの既存の長手延在方向及び／又は対称軸が垂直に延びるように、カプセル底部上に立つカプセルを起点とする。
【００１０】
抽出媒体は第１抽出機種においてカプセル頭部でカプセルに注入され、それはカプセル底部の底面封止を通してカプセルから排出する。第２抽出機種においては、抽出媒体の通過方向は丁度逆に設けられ、つまり一般に箔である底面封止からカプセル内に流入し、カプセル頭部から流出する。
【００１１】
カプセル壁は理想的には略円錐台形又は別の形でカプセル底部からカプセル頭部にかけて先細りに構築され、それによってそれが使用後、つまり抽出工程後、抽出機の容器から簡単に取り外すことができ、理想的にはすでに重力によって容器から落下する。いずれにせよ、機械の容器と恊働する面である保持面は、そのため理想的には非円筒形に成形される。
【００１２】
カプセル壁の周りを「取り囲むもの」は、単にカプセルの直立軸に直交する幾何学的な円軌道であり、そのとき直立軸はカプセル底部からカプセル頭部に延在する。異なる実施形態において直立軸は同時に回転対称軸である。
【発明の効果】
【００１３】
カプセル壁及び／又はカプセル頭部の壁面を製造するための合成樹脂によって、カプセルは非常に低コストに、例えば射出成形で製作されることができ、そのとき同時に非常に高い生産精度及び生産速度が達成される。しかし気体流入を強く緩和する合成樹脂であっても、通常、壁を通して気体が拡散するほど気密性に欠け、それと関連した抽出飲料の香味品質の損失も伴う。
【００１４】
ＰＢＴ樹脂（ＩＳＯ１０４３−１規格による分類）は、通常加工が困難ではあるが、カプセルの目的のために予想外に大きな香味気密の適性を持つことが、当発明者の大規模な試作試験によって解明された。
【００１５】
人工樹脂は可能な限り多くの次の性質を有するべきであることが当発明者の大規模な試験によって判明した：
○  試験規格ＩＳＯ３０７、１１５７、１６２８に基づく粘度数が８０から１００、特に８３から９３、特に約８８ｃｍ３／ｇであり、０，００５ｇ／ｍｌのフェノールと１，２のジクロロベンゼンの比が１：１である溶液を有する；
○  試験規格ＩＳＯ６２（類似）に基づく吸水率（２３℃の水で飽和）が０，３から０，７％、特に約０，５％；
○  試験規格ＩＳＯ６２（類似）に基づく吸湿率（平常の天候の際２３℃及び５０％の相対湿度で飽和）が０，２から０，３％、特に約０，２５％；
○  試験規格ＩＳＯ１１３３に基づくメルトボリュームレートＭＶＲ（２５０℃及び２，１６ｋｇのとき）が９０から１３０、特に１００から１２０、特に１１０ｃｍ３／１０分；
○  射出成形における加工のための溶融温度範囲が２３５から２８５℃、特に２４５℃から２７５℃又はこの間隔内；
○  射出成形における加工のための工具温度範囲が３５℃から８０℃、特に４０℃から７０℃、又はこの間隔内；
○  試験規格ＩＳＯ５２７−１／−２（１ｍｍ／分）に基づく弾性率が２１００から３１００ＭＰａ、特に２２００から２６００ＭＰａ、特に約２４００ＭＰａ；
○  試験規格ＩＳＯ５２７−１／−２（５０ｍｍ／分）に基づく降伏応力が５１から６１ＭＰａ、特に約５６ＭＰａ；
○  試験規格ＩＳＯ５２７−１／−２（５０ｍｍ／分）に基づく降伏歪みが１，８％から２，８％、特に約２，３％；
○  試験規格ＩＳＯ５２７−１／−２（５０ｍｍ／分）に基づく公称破断歪みが１０％から１８％、特に約１４％；
○  試験規格ＩＳＯ１７９／ｌｅＵに基づくシャルピー衝撃値（２３℃のとき）が１１２から１３２ｋＪ／ｍ２、特に約１２２  ｋＪ／ｍ２；
○  試験規格ＩＳＯ１７９／ｌｅＡに基づくシャルピー切欠き衝撃値（２３℃のとき）が２，７から３，７ｋＪ／ｍ２、好適には３，０から３，４ｋＪ／ｍ２、特に約３，２ｋＪ／ｍ２；
○  試験規格ＩＳＯ７５−１／−２に基づくＨＤＴ−Ａ値（最大１，８Ｎ／ｍｍ２までの曲げ応力下での耐熱変形性）が４９℃から５９℃、特に約５４℃；
○  試験規格ＩＳＯ７５−１／−２に基づくＨＤＴ−Ｂ値（最大０，４５Ｎ／ｍｍ２までの曲げ応力下での耐熱変形性）が１１２から１５２℃、より良好には１２７から１４７℃さらに良好には１３２から１４２℃、特に約１３７℃；
○  試験規格ＩＳＯ３０６（ＶＳＴ／Ａ／５０、１０Ｎ、５０Ｋ／ｈ）に基づくビカット軟化温度が２０１℃から２３１℃、より良好には２０６℃から２２６℃、特に約２１６℃；及び／又は、
○  試験規格ＩＳＯ３０６（ＶＳＴ／Ｂ／５０、１０Ｎ、５０Ｋ／ｈ）に基づくビカット軟化温度が１６５℃から１９５℃、より良好には１７０℃から１９０℃、特に約１８０℃である。
【００１６】
このように本発明は明確にＰＢＴにではなく、一般的に上記の値の範囲に限定される。ＰＢＴはいずれにせよ従来の知見によると好適な実施形態のためのポリマーである。
【００１７】
ＰＢＴ合成樹脂は一方で香味を気密に保つのみならず、修正を行いやすい。修正により合成樹脂は、特殊な追加処置なしで、抽出機中の抽出圧を構築するその底部のフランジ上の、シーリングリングによって密閉できるほど柔軟である。これによってカプセルは混合包装をしなくても耐久性を保つのみならず、製造コストが低い。さらには得られた合成樹脂は適応した成形において、抽出媒体の注入のため、穿刺ナイフが良好に穿刺できるほど脆い。
【００１８】
第２の材料が合成樹脂に混合されるように、修正は非常に良好に混合物を有することができる。混合は好適にはすでにカプセルの形成工程前、つまり例えば射出成形前に行われる。混合は押出機で、又は押出の後で行われることが特に良好に想定できる。
【００１９】
カプセルの好適な実施形態は熱可塑性エラストマー、特に熱可塑性ゴムを有する。ゴムは試作試験において理想的であると判明した。
【００２０】
混合物が均質であるとき、修正された合成樹脂は非常に容易に加工される。
【００２１】
前述の修正に加えて、カプセル頭部及び／又はカプセル壁は、特に混合物の形でガスバリア性材料を有することができ、そのときガスバリア性材料は合成樹脂に対する酸素からのガス発生を低減する。
【００２２】
ガスバリア性材料は、それがある限りにおいて特にシリカであるシリコンを有し、及び／又はガスバリア性材料は混合ポリアミドを有し、及び／又はガスバリア性材料はアルコール溶液を用いて塗付され、特に噴射され、又は浸漬浴で塗付されることが提案される。
【００２３】
シリコンは異なる物理化学的方法で合成樹脂壁に良好に塗付されるのみならず、適切な塗付が行われる際、連続したガラス層が生じる。これは当発明者の試作試験によれば同様に気密であり、カプセルは袋形などのそれ以上の混合包装なしに、少なくとも１年間言及に値するほどの香味の漏出なく貯蔵されることができる。ガラス層が厚く形成されるほど気密に、カプセルは香味を密封する。いくつかの試作では、２年後にもまだはっきりとした香味の低減が生じないことを当発明者が保証するほど、ガス流出は微量だった。
【００２４】
コポリアミドの適用の際、好適には高いバリア作用を有する合成樹脂が使用される。
【００２５】
コポリアミドには５％から２０％のバリア粒子及び／又はバリア性樹脂の混合物が好適に使用される。
【００２６】
好適にはバリア層が壁上に表面層として塗着され、それもカプセルの外側及び／又は内側に向けられる。当発明者の現在の開発状況によると、カプセルの内側に向かうバリア層の設置が好適である。そうすると例えばエンドユーザがカプセルを取り扱う際の、外からの表面への何らかの機械的作用が、カプセルの気密性を脅かさないからである。
【００２７】
表面層は理想的にはカプセル壁及びカプセル頭部の全表面を内側及び／又は外側に向かって被う。
【００２８】
特にバリア材料としてシリコン又はシリカを使用するとき、当発明者の試験では特に有利な層厚は少なくとも約３０ｎｍ又は４０ｎｍ、好適には少なくとも７０ｎｍ、特に中間の層厚は７０ｎｍから７５ｎｍであるという結果になった。
【００２９】
本特許申請書枠内の値の範囲の記載は、閉じた間隔としてではなく、それぞれの文脈で相反する見解が生じない限り、開いた間隔として理解されるべきであることを、ここで明記しておきたい。この上記の例では、間隔の限界として一方で７０ｎｍ、もう一方で７５ｎｍが挙げられている。両限界は通常大まかな制限として理解され、僅かにそれ以下又はそれ以上の大きさもまだ間隔として把握される。それ以下それ以上の限界のない閉じた間隔は、それぞれ特別の明確に開示された特徴の組み合わせとして理解される。
【００３０】
又、「１」、「２」などの数、又は単なる冠詞などの記載は、それぞれの文脈で相反が生じない限り、それぞれ最小限の記載として理解されるべきであることもここで指摘しておきたい。つまり「１つの層」と記述されたとき、それは「少なくとも１つの層」として理解され、例えば複数の層が重なり合うことがあり、又は例えば１つの層がカプセルの内側に、及び１つの層が外側にありうる。
【００３１】
カプセルの製造方法のために、表面層がプラズマ蒸着層でありうることが判明した。プラズマ蒸着層は、例えばシリカによって非常に良好に実施できる。
【００３２】
本発明の第２の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセルは、カプセルがカプセル底部上に立つ場合、カプセル頭部が平らに延びる頭部領域を具有することを特徴とし、そのとき頭部領域が連続的に閉鎖されて成形され、特に少なくとも約０，３ｍｍ又は少なくとも約０，３５ｍｍの壁厚を有し、そのとき頭部領域内により薄い壁厚を有する、弱化された領域が設けられる。
【００３３】
このようにして作られた弱化された領域は、端的に適切な形を表す「穿孔環」と名付けられることができる。それによって、香味の気密性及びカプセルの機械的な安定性が保証されるほど大きな材質厚がカプセル頭部にも優勢にもたらされ、そのとき穿孔環における材料の弱化によって、抽出媒体の充填のための穿刺ナイフがより容易にカプセル頭部から進入できる。
【００３４】
弱化された領域は約０，１５ｍｍから約０，３ｍｍの壁厚を有することができ、それは非常に有利であることが試験の際に証明された。特にこのように薄い素材の場合、穿孔の間に大きすぎる力は発生しないため、穿刺ナイフが引っ掛かる確率は低い。
【００３５】
弱化された領域が半径方向外側に、つまりカプセル壁の方向にも、半径方向内側、つまりカプセル頭部の中心に向かう方向にも、隣接する弱化された領域より強い壁厚を持ち、そのとき弱化された領域が、好適には、環装された、壁厚という観点で弱化された環を有するとき、弱化された環に対して導入された開封ナイフは、隣接する壁厚を通すよりもよりいっそうｇ容易に進入できる。なぜならそこでは弱化された環は半径方向内側、及び半径方向外側により強く保護されているからである。
【００３６】
弱化された環が、周囲の壁厚の７５％以下、特に５０％以下、好適には２５％から３５％、及び／又は特に０，１ｍｍから０，３ｍｍ、特に約０，１５ｍｍから０，２５ｍｍの壁厚を有し、そのとき周囲の壁厚は好適には０，３ｍｍから１ｍｍ、特に０，３５から０，７ｍｍ、特に約０，
５ｍｍでありうることが提案される。
【００３７】
カプセル底部上に立つカプセルの場合、弱化された環を通る直交線が垂直線に対して３０°以下、好適には約１５°から２５°の鋭角を占めることができる。所定の穿孔箇所の領域には、このような形態の場合常に、カプセル頭部上のどちらかと言えば水平な、しかし完全に水平ではない領域がある。
【００３８】
弱化された環を外から、つまりエンドユーザには不可視に保つために、弱化された領域、特に弱化された環が、半径方向外側から及び／又は半径方向内側から生じる、好適には環状の壁厚の先細りを頭部領域の内側に有し、それに対し頭部領域の外側で、弱化された領域の境界、好適には全ての境界の表面が同一平面上を通るため、弱化領域の薄い壁厚が外からは不可視であることが提案される。
【００３９】
本発明の第３の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によってカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセルは、カプセル頭部が全体的に円蓋のように湾曲することを特徴とし、そのとき中央領域は平らで、同様に円蓋形又は特に窪み形に形成されることができ、そのとき円蓋形は球状である。
【００４０】
円蓋形は突き刺す力に抵抗するために理想的であることが判明した。
【００４１】
「円蓋のような」湾曲とは、本特許申請の枠内で、カプセル頭部の表面を、カプセル底部上に立つカプセルを横から見る際に、断面、つまりシルエットに曲線の延びを有することを意味する。円蓋形という概念にはつまり円錐又は円錐台は含まれない。実際には一般にナイフである、投入される穿孔器に充分な安定性で対向し、カプセル頭部全体を押圧するのではなく、合目的的な切り込みをもたらすためには、少なくともカプセル頭部の半径の一部の上の湾曲形の延在部分には、非常に僅かな材質強度がすでに充分であることが示された。
【００４２】
円蓋の中心領域は別の形に形成されてもよい。
【００４３】
円蓋形はカプセル頭部の外縁まで延在しなくてよいことを明確に強調しておきたい。カプセル頭部の半径の一部のみが円蓋形に成形されていればすでに充分である。
【００４４】
これとは関係なく−  市場に既存のカプセルは、カプセル頭部のすぐ下、及びすなわち  -  カプセル底部上に立つカプセルの場合  -  抽出材料の上に、カプセル頭部から流入する抽出媒体のための分配器を有することを当発明者は観察した。通常ここでは、上方から溜まる抽出媒体を面に分配し通過させるフリース又はその他の部品が設けられる。実際の効果としてカプセル頭部にもたらされた、通常単なる点又は切れ目形である穿孔は、それにもかかわらず抽出媒体の全面散布を引き起こす。
【００４５】
当発明者の知見によると、このようなやり方は有利に見えても、いずれの場合においても必ずしも有利ではなく、実施形態によっては不利になることさえある。特にいわゆるシャワー分配器中の圧力構成の場合、圧力も減退するため、コーヒーは具体的な実施形態によっては味覚としてはむしろパーコレータで浸出されたコーヒーのような味がし、つまり圧力抽出法の利点そのものが完全に発揮されない。
【００４６】
シャワー分散のない合成樹脂カプセルはそれに対し、コーヒー飲料の味でも、泡の形成、つまりいわゆるクレーマにおいても非常に優れた成果を収めた。
【００４７】
本発明の第４の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセルは、カプセル頭部がカプセル底部上に立つカプセルの場合、平らに延びる頭部領域を有することを特徴とし、そのとき頭部は半径方向の延在方向要素を有する多数の溝を有し、特に多数の半径方向に配置された溝を有する。
【００４８】
カプセル頭部のこのような形成は、さらにカプセル頭部に必要な安定性を与えることに寄与する。溝などによってカプセル頭部は、多数の、カプセル底部上に立つカプセルの場合むしろ垂直に延びる部分断面を有し、それはカプセル頭部の慣性モーメントを拡大する。
【００４９】
放射状に配置された溝の場合、通常接線方向に向けられたナイフには、抽出媒体を充填するため、カプセル頭部に予め設定された切れ目を入れることがより容易である。
【００５０】
本発明の第５の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセルは電子通信装置のためのレスポンダを有するため、抽出機に配置された通信装置は無線でカプセルからの情報を得ることができ、そのときレスポンダは無線で読み取り可能なデータ記憶媒体、特にバーコード担持体又は共振回路、特にＲＦＩＤチップを有し、及び／又は誘導センサ用に読み取ることができ、そのためレスポンダはカプセルの人工樹脂用の導電性混合物を有し、及び／又は特に金属製の溝又はニットである導体層を有する。
【００５１】
抽出機が適切なレーザーを有するとき、例えば抽出媒体の充填量及び／又は充填速度及び／又は構成する圧力という観点から、例えば機械が正しい抽出値に設定されていることが、保証される。又例えば、機械が安全上の理由から機械製造者に設定された又は認可されたカプセルのみでしか作動しないことが保証される。
【００５２】
あらゆる場合において、実際に同機用に設けられたカプセルだけが使用されることを、抽出機が検査できることを非常に良好に保証できる。間違った応答信号が得られるとき、又は何の応答信号も得られないとき、抽出機は抽出工程を拒否する。
【００５３】
誘導性又は導電性のレスポンダに関わらず、抽出機は色認識機を有することが企図される。色認識機が例えばカプセル内容物の様々な種類を、色による標識を基に認識するように設定される。
【００５４】
本発明の第６の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセル底部は円環板状のフランジを有し、そのときフランジの上側、つまりフランジのカプセル頭部の方向を示す側が、抽出機のシーリングリングと協働するためのシール面として設計されており、そのときカプセルは、上側が半径方向にフランジの半径方向の外縁内に、好適には外縁よりもカプセル壁により近接して配置された環状の隆起部形ウェブシールを有することを特徴とし、そのとき好適にはフランジに第２環状隆起部が、特にフランジの外縁に設けられる。
【００５５】
このような構造の場合、単一の又は複数の環状隆起部が抽出機との非常に安定したシーリングとして役立つ。カプセル底部にフランジを有するカプセル用の抽出機は抽出圧を構築し、そのためにはカプセルが占める空間をフランジで密閉することが必要不可欠である。そのために抽出機はカプセル頭部上でカプセルの周りに、環がカプセルを取り巻くように環を取り付ける。抽出機はその後、環をフランジまで引き下ろす。そこでは上方に突出するウェブシールリングが、そのときシール効果を高めることができる。ウェブは好適には少なくともその土台において、つまりそれがフランジから隆起するところでカプセルの壁より幅広く、及び／又はフランジより厚いところで非常に堅牢に形成される。好適にはフランジは  ウェブシールと第２環状隆起部の間にカプセル壁より厚く形成される。
【００５６】
本発明の第７の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセルは、カプセル壁がその外側に向く表面に、カプセル壁の高さの一部のみを超えて延在する溝又は波形を有することを特徴とする。
【００５７】
カプセル壁の溝又は波形のない領域は、ロゴ又は製品情報を位置付けるために非常に良好に役立つ。
【００５８】
カプセル壁への溝又は波形の設置は、カプセルの内部空間に臨界的に多くの容積を失うことなく、常に充分な量の抽出材料をカプセル内に保つための処置であることが判明した。しかし同時にカプセル操作の質が著しく向上する：当発明者の試験は、溝又は波形が設けられた表面はカプセル容器に、つまり例えば機械内に、付着しにくいことを示した。カプセル取り出しの確実性はそれによって向上し、又、従来技術から公知であるような従来の平滑な壁の場合における以上の材料を消費することなく、カプセルへの軸力に対する壁の座屈負荷が増大する。
【００５９】
さらに、溝又は波形がカプセル壁の高さの一部に渡ってのみ延在するとき有利であることが示された。一方のカプセル底部のフランジの接続部と、もう一方のカプセル頭部への移行縁の間にあるカプセル壁の高さの一部には、溝又は波形がなく、特に外に向かう表面は完全に平滑であり、好適には内に向かう表面も平滑である。
【００６０】
そのような実施形態は、溝又は波形のない面はむしろ下方に、又は理想的には直接カプセル底部のカプセル壁との接続部に近接して配置されるとき特に有利である。そこではカプセルの直径がカプセル壁のさらに上部よりも大きいため、平滑な壁であってもすでに優れた機械的安定性を提供する。
【００６１】
カプセル底部上に立つカプセルの場合、好適には垂直で中心的な、その上に溝又は波形を投射できるカプセル体の回転軸がある。それは簡単な言葉で言うと、立ったカプセルを横から見たとき、溝又は波形が垂直に延び、理想的にはつまり、波形及び溝の縁の（想定される）延長がカプセル頭部を越えて上部に向かうとき、全てが１つの（想定される）共通の刻み目を有することに他ならない。これはカプセルをホルダから軸方向に取り出すことを容易にする。
【００６２】
本発明の第８の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセル壁が下部円錐台形領域及び上部円錐台形領域を有し、そのとき上部円錐台形領域が下部円錐台形領域より急傾斜の壁の傾斜を有し、そのとき好適には両円錐台形領域の間に、下部円錐台形領域の上端を上部円錐台形領域の下端に移行し、特に好適には円錐台形の環として形成される凸部が配置される。
【００６３】
当発明者はその実験において、このような実施形態を好適なものと判定したのは、それが著しい量の抽出材料をカプセルの内部に配置できるためである。
【００６４】
本発明の第９の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセル底部は、カプセル底部上に立つカプセルの場合、その下方に向けられた側に封止箔を有する、環装されたフランジを有し、そのとき封止箔は好適には、特に抗酸化作用のあるシールラック層とともに下方に向けられ、特にアルミニウムである金属を有する内部層及び、カプセル底部のフランジの合成樹脂との接続をするためのヒートシール接着剤層を有する多層箔として形成され、そのとき特に本観点によるカプセルであるカプセルは、好適には抽出材料で充填され、そのとき封止箔はヒートシール接着剤を用いてフランジと密着される。
【００６５】
理想的には、ヒートシール接着剤はヒートシール接着剤の合成樹脂と、約２０５℃から約２２５℃、特に約２１０℃から２２０℃の温度で接着される。この温度枠は提案された合成樹脂、特にＰＢＴの使用とともに理想的に作用する。
【００６６】
アルミニウムは例えば坪量３から１０ｇ／ｑｍ、特に約６ｇ／ｑｍを有する。
【００６７】
本発明の第１０の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセル壁はその上部三分の一又はその上部半分において同一の壁厚を有し、そのときカプセル壁は、上部半分、又は上部三分の一のところでカプセル壁から内側に突出した積層突起、特に継続的又は断続的に形成された環装された環を、又は好適には被連続的な突起として有する。
【００６８】
好適にはこれは、積層突起が、カプセル壁からカプセル頭部への移行部における外径より小さい自由内径を有し、２つの同一の重なり合うカプセルの場合に、内側のカプセルのカプセル壁からカプセル頭部への移行部が、外側のカプセルの積層突起で停止するように構築される。
【００６９】
カプセルはそのとき優れた集散貨物として提供される。積層突起が環装された環として製造されず、個別にカプセルの周囲に均等に、又は不均等に分配されるとき、カプセルは製造の際、容易に脱型する。
【００７０】
カプセルは複数の上記に挙げられた発明の観点の特徴を同時に、しかも特に全ての上記に挙げられた発明の観点を、任意の組み合わせで有することができることを明言しておきたい。
【図面の簡単な説明】
【００７１】
次に本発明は実施形態例に基づき、図を参照に詳細に説明される。
【図１】図１は、本発明の第一実施形態による、その中に含まれた挽かれたコーヒーの形状の抽出材料を有するカプセルを斜め上方からの斜視図で概略的に示し、
【図２】図２は、図１のカプセルの側面図を示し、
【図３】図３は、図１及び図２のカプセルの断面を示し、
【図４】図４は、カプセルのさらなる実施形態の斜視図を示し、
【図５】図５は、図１、３、５及び７に類似した斜視図によってカプセルの好適な実施形態を示し、
【図６】図６は、現時点で好ましい実施形態におけるカプセルの縦断面図を示し、
【図７】図７は、シーリングウェブ及びシーリングリングを有するカプセル底部の細部を半径方向の断面図で示し、
【図８】図８は、垂直中央断面図で、２つの同一な互いに重なり合うカプセルを、さらなる加工、特に抽出材料の充填のための、既製品としての有利な配置の例として示す。
【発明を実施するための形態】
【実施例１】
【００７２】
図のカプセル１はそれぞれ実質的にカプセル頭部２、カプセル壁３及び、半径方向に突出するフランジ５を有するカプセル底部４から成る。
【００７３】
カプセル１の内部には挽かれたコーヒー粉が充填される。カプセル底部４は（隠された）封止箔で閉鎖されている。
【００７４】
フランジ５はシール領域６を有する。これは好適には、抽出機の環状の封止ダイに対するウェブシールのための堅牢なウェブ７（図６参照）の形状の、環装された環を有する。
【００７５】
カプセル壁３はそれぞれ下部領域１０及び上部領域１１に分割される。下部領域１０と上部領域１１の間には小さな環状の後退部１２がある。
【００７６】
カプセル壁３の下部領域１０は、カプセル頭部２からそれぞれの移行環を経てカプセル底部４にかけて円錐台形に拡大する。カプセル壁３の上部領域１１は、例えば下部領域１０と同じ角度で延長されることができ、又はそれはより少なく又はより強く先細りすることができ、又はそれは例えば筒形に形成されることもできる。
【００７７】
図６のカプセルの例では、移行環１０’が独立して円錐台形に形成されている。
【００７８】
カプセル頭部２は、直接カプセル壁３に向かう縁１４から始まる円蓋１３を有する。それに対して中心領域１５では、円蓋１３が延長せず、カプセル１の内部に向けられた窪みに戻る。
【００７９】
図１、２及び３のカプセル４１は繰り返し円蓋形の外部領域４３及び窪み形の中心領域４４を有するカプセル頭部４２から成る。カプセル頭部はカプセル壁４６への移行環４５まで延在する。カプセル壁４６は３つの領域へのカプセル４１の軸方向の延在に分割される：それらは下部領域４７、中間領域４８及び上部領域４９である。下部領域４７は平滑な表面５０である。平滑な表面５０を有する環の上方は中間領域４８に繋がる。これはカプセル壁４６の軸方向延在の半分以上の上まで長手方向に延びる（例示的に符号が付された）溝５１を有する。それらは上方で筒形に形成され、カプセル頭部４２を有する移行縁４５まで届く上部領域４９に接続する。
【００８０】
ここで示されるカプセルの容積は非常に大きい。しかし使用される材料の場合、その量は１，５ｇのみである。
【実施例２】
【００８１】
図４のカプセル５２はカプセル頭部５４のその円蓋形部分５３で放射状に延びる（例示的に符号が付された）溝５５を有する。これらは移行縁５６を越えてカプセル壁５７に続く。そのためカプセル５２の上面図では、カプセル頭部上の放射状の縁の延びが視覚的に強調されている。
【００８２】
接線方向という観点から、カプセル壁５７には比較的大きな領域５８が平滑な面として形成され、それによって波形又は溝を有するカプセル壁５７の通常の形成に対して強い視覚的コントラストを生じさせる。この面はロゴ又は文字列を入れるために良好に使える。
【実施例３】
【００８３】
図５のカプセル６０の好適な実施形態は同様に、例えばロゴ又は文字列を載せるためのそのような平滑な面６１を有する。平滑な面６１は好適には高光沢仕上げで製造される。
【００８４】
下部の平滑な環６２がカプセル壁６３に設けられるとき、同様に高光沢面が優先される。好適には平滑な環６２の表面上に、平滑な面６１と同様の表面処理工学が実施される。
【００８５】
他に中間環６４及び実際に円筒形の上部６５を含むカプセル壁６３全体及び、円蓋形のカプセル頭部６７の外部領域６６は、（例示的に符号が付された）波形又は溝６８を有し、そのとき波形又は溝６８の延びは、カプセル頭部６７上の放射状の延びからカプセル壁６３へと継続的に延びる。
【００８６】
内側の中心領域６９には窪みが設けられる。内側の中心領域６９の周りにも、カプセル頭部６７に接する円蓋の中間領域７０に平滑な表面が設けられる。
【００８７】
ロゴ及び環のための高光沢面以外のカプセル６０の表面は至極繊細にツヤ消しされ、無光沢に仕上げられる。示された種類のカプセルは、例えばコーヒーメーカーのような１杯ずつを淹れる抽出機に使用できる。カプセルは好適に香味を密封するように形成される。機械内でカプセルは、１９バールまでの圧力下で流入される水が切れ目を通してカプセル内に注入されるように、例えば３つのナイフの先端によってカプセル頭部で切開される。カプセル表面上での可能な限り良好な分配が重要である。有利には圧力が緩和される。
【００８８】
カプセル６０の好適な実施形態において特に興味深いのは、装飾の可能性のための目立つ面が設けられることだ。装飾は、例えばブランドマーク、商品コード、広告面、消費者情報の記載面などの多様な機能を果たすことができる。目的によって異なる解決法がある。
【００８９】
塗着にはこれまで特にパッド印刷、ラベリング又は塗装が考えられた。
【００９０】
整形要素としてカプセルに内含された装飾形成も、デザインが独立して認識されるために有意義である。
【００９１】
カプセルの人工樹脂体のために使用された素材はすでにそれ自体、気体交換に対する高いバリア抗性を有する。人工樹脂の切開の際、人工樹脂は配合された色を示す。暗い色は良好な光バリアであり、より明るい色よりも挿入された抽出媒体をより良好に保護する。
【００９２】
フランジは抽出頭部でのカプセルの最適なシールを保証する。
【００９３】
カプセル壁の内側は場合によっては二酸化ケイ素（ＳｉＯｘ）によるプラズマ蒸着法によって均等にカプセルの全表面に塗付され、不可視の気体不透過性バリア層を形成する。
【００９４】
少なくとも７２ｎｍのナノ層シリカは、少なくとも１２カ月の、品質への要望によっては容易に２４カ月までも香味の気密性を保証する。
【００９５】
カプセルの封止箔は多層箔であり、３つの層から成る。中心にはアルミニウム箔が配置される。これはガスバリアの役割を果たす。カプセルの外側に向かって保護塗装が施される。これは、製品のアロマ及び／又は会社ロゴ又はその他の情報の表示のための印刷可能な、又は印刷された面である。それに対してカプセルの内側に向かい、アルミニウム箔上にはヒートシール塗料が塗付される。これはアルミニウムと挿入された挽かれたコーヒーの間のバリアの役割をする。
【００９６】
製造方法として様々な選択肢が考慮される：バリア層が設けられ、中にあるとき、例えば二成分射出成形法を使うことができる。最初に壁が射出され、継いでバリア層が噴射される。又はバリア層が射出されてから、壁が噴射される。
【００９７】
二成分射出成形法の代わりに、例えば壁を射出することができ、その後すぐにバリア層が噴射されるか、プラウスマ被覆を施すことができる。
【００９８】
バリア層が設けられ、外にあるとき、特にまず壁が射出され、その後にバリア層が噴射されるか、又はその逆である、二成分射出成形法が推奨される。二成分射出成形法の代わりに、まず壁が射出され、そのすぐ後に、バリアが例えば浸漬、被膜、又は蒸着などの他の塗付方法で塗付されることができる。
【００９９】
最終的に得られたカプセルは、現在好適な実施形態によると好適には単色である。外側には３つの異なる表面構造がある：上部には環装された凸形隆起部が設けられている。隆起部は無光沢である。異なる無光沢の隆起部間のエッジ形の谷間はつまり波形の谷間であり、高光沢に仕上げられる。
【０１００】
平滑なロゴ面は、無光沢面又は例えばレリーフとしての、例えばコーヒー提供者のロゴを有する隆起部がない、高光沢面である。
【０１０１】
下部には、平滑な高光沢の円錐形の球状体があり、それは最終的に丸みを帯びた効果を有する環装された高光沢の非鉄に移行する。
【０１０２】
表面内部は好適には全て高光沢である。
【０１０３】
全ての縁は好適には少なくとも０，１ｍｍ半径の丸め処理で形成されている。封止箔は外に向かってカプセル体と同色であるべきである。コーヒー提供者のブランドロゴは刻印されることができる。
【０１０４】
約０，５ｍｍの連続的な壁の厚さ、及び０，６ｍｍの非鉄の最大の厚さが提案され、目的とされる。カプセル頭部の厚く製造された穿孔領域では、壁の厚さが好適には０，５ｍｍ以下又は０，４ｍｍ以下に縮小される。
【０１０５】
独立した、及び上記の発明の観点から自由に組み合わせることのできる性質として、壁の厚さを０，３ｍｍ以下、好適には約０，２ｍｍ、又はそれ以下に縮小することが提案される。
【実施例４】
【０１０６】
図６のカプセルは実施形態の現在好適である寸法を持ち、そのときそこにおける寸法指示は全体的に変更が可能であることが明確に強調されるべきである。本発明は、そこにおける寸法が使用されたときのみ実現されるのではないではない。それは個々の寸法、複数の寸法、又は全ての寸法が、図６に示された図説に対して変更できるという意味である。
【実施例５】
【０１０７】
図７のカプセル底部７１は実質的に、その下側７３に（図示されない）封止箔が固定される、  フランジ７２から成る。フランジ７２の上側７４にはシーリングウェブ７５及びシーリングリング７６がある。シーリングウェブ７５はシーリングリング７６よりカプセル壁７７に近く、好適にはそれも直接カプセル壁７７とフランジ７２の少なくとも実質的に水平に延びる表面の間の移行領域７８に接して配置される。
【０１０８】
シーリングウェブ７５の２つの側面７９、８０は  -  正負を逆にして  -−  それぞれ約７，１２５°垂直線に対して傾斜し、そのとき垂直線は（正確な寸尺で位置付けられていない）カプセル長手方向延在軸８１に平行である。
【実施例６】
【０１０９】
図８の２つの同一のカプセル８２、８３は既製品のために製造された空のカプセルの例として直接上下に積み重ねられている。外側のカプセル８３の上部領域に、カプセル壁８４はその上及びその下にそれぞれ同様に留まり、理想的には同じ大きさの壁圧８５、８６にも関わらず、積層突起の役割をする内に向かう積層環８７の形の突起を有する。
【０１１０】
その上にカプセル頭部に向かって方向付けられた後退部は、カプセル８２、８３の脱型を防ぐことができることを指摘しておきたい。救済策としては、例えば積層突起上の後退部を省略する；又は１つの形状から接線方向に延びる輪郭要素を省略し、例えばカプセルの長手方向に配置された（それぞれ１つのみ例として破線で描かれたが、好適には複数設けられる）リブ８９、８９’又はバール８９”が設けられ、その下端９０、９０’、９０”はこの場合、中に重ねられたカプセル上に装着するために役立つ。
【０１１１】
このような積層リブ９０’がカプセル壁８４とカプセル頭部９１間の移行部まで延び、理想的には直接カプセル頭部９１の内側９２に移行するとき、適合した形態の場合、積層リブ上のあらゆる後退部がなくなり、脱型を容易にする。
【０１１２】
図は様々な形状及び実施形態において本発明の可能な変形の選択肢の一部を示す。そこに含まれる特徴は、本発明の主題を正確に特定するために利用できるが、これらは必ずしも限定的に理解されるものではないことを、明確に強調しておきたい。全ての寸法は純粋な実施例であり、従って同様に必然的数値として理解されなくてよい。
【図１】
2016501561.tif 000003
【図２】
2016501561.tif 000004
【図３】
2016501561.tif 000005
【図４】
2016501561.tif 000006
【図５】
2016501561.tif 000007
【図６】
2016501561.tif 000008
【図７】
2016501561.tif 000009
【図８】
2016501561.tif 000010
【手続補正書】
【提出日】平成27年8月20日(2015.8.20)
【手続補正１】
【補正対象書類名】明細書
【補正対象項目名】全文
【補正方法】変更
【補正の内容】
【発明の詳細な説明】
【技術分野】
【０００１】  本発明は、コーヒー、茶などの抽出材料を受容し、カプセル内で抽出するためのカプセルに関する。
【背景技術】
【０００２】  汎用のカプセルは例えば特許文献１から公知である。
【先行技術文献】
【特許文献】
【０００３】
【特許文献１】米国特許出願公開第２００５／０１８３５７８Ａ１号明細書
【発明の概要】
【発明が解決しようとする課題】
【０００４】  本発明は、従来技術の改良、又は代替を提供するという課題に基づいている。
【課題を解決するための手段】
【０００５】  この課題は、独立請求項の主題により解決される。任意の有利な実施形態は、従属請求項、明細書及び図面に開示される。【０００６】  そこで、本発明の第１の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセルは、カプセル頭部及び／又はカプセル壁が、好適にはポリブチレンテレフタレート（ＰＢＴ）及び／又はＰＢＴ系合成樹脂である合成樹脂を有することを特徴とし、そのときカプセル頭部及び／又はカプセル壁が合成樹脂の球体圧入硬度を低下させる修正を有する。【０００７】  「カプセル」とは独立し、固定した部品であるという概念を説明しておきたい。そのためカプセルは例えば柔らかいパッド、及びもちろん備蓄包装として考えられた大型の箱又は袋などとも区別される。カプセルは１杯分のカプセルと理解される。【０００８】  一般的な構造という観点から、本特許出願は実質的に１つのカプセルの３つの部分、すなわちカプセル頭部、カプセル壁、及びカプセル底部を定義する。カプセル底部は、例えばコーヒー飲料、茶飲料、乳飲料、又は例えばスープ飲料のような抽出飲料の定められた流出側である。【０００９】  カプセル底部には底面封止が配置されている。市場に既存の従来の機械では、そのようなカプセルは通常、ほぼ水平に寝かせた状態で挿入されることができる。しかしカプセルは、平常は簡単にカプセル底部上に、つまりそこに一般に配置される封止箔上に立たせることができる。本特許出願の枠内では、理解を容易にするため、原則として、記述される時点で、カプセルの既存の長手延在方向及び／又は対称軸が垂直に延びるように、カプセル底部上に立つカプセルを起点とする。【００１０】  抽出媒体は第１抽出機種においてカプセル頭部でカプセルに注入され、それはカプセル底部の底面封止を通してカプセルから排出する。第２抽出機種においては、抽出媒体の通過方向は丁度逆に設けられ、つまり一般に箔である底面封止からカプセル内に流入し、カプセル頭部から流出する。【００１１】  カプセル壁は理想的には略円錐台形又は別の形でカプセル底部からカプセル頭部にかけて先細りに構築され、それによってそれが使用後、つまり抽出工程後、抽出機の容器から簡単に取り外すことができ、理想的にはすでに重力によって容器から落下する。いずれにせよ、機械の容器と恊働する面である保持面は、そのため理想的には非円筒形に成形される。【００１２】  カプセル壁の周りを「取り囲むもの」は、単にカプセルの直立軸に直交する幾何学的な円軌道であり、そのとき直立軸はカプセル底部からカプセル頭部に延在する。異なる実施形態において直立軸は同時に回転対称軸であ��。
【発明の効果】
【００１３】カプセル壁及び／又はカプセル頭部の壁面を製造するための合成樹脂によって、カプセルは非常に低コストに、例えば射出成形で製作されることができ、そのとき同時に非常に高い生産精度及び生産速度が達成される。しかし気体流入を強く緩和する合成樹脂であっても、通常、壁を通して気体が拡散するほど気密性に欠け、それと関連した抽出飲料の香味品質の損失も伴う。【００１４】  ＰＢＴ樹脂（ＩＳＯ１０４３−１規格による分類）は、通常加工が困難ではあるが、カプセルの目的のために予想外に大きな香味気密の適性を持つことが、当発明者の大規模な試作試験によって解明された。【００１５】  人工樹脂は可能な限り多くの次の性質を有するべきであることが当発明者の大規模な試験によって判明した：○  試験規格ＩＳＯ３０７、１１５７、１６２８に基づく粘度数が８０から１００、特に８３から９３、特に約８８ｃｍ３／ｇであり、０，００５ｇ／ｍｌのフェノールと１，２のジクロロベンゼンの比が１：１である溶液を有する；○  試験規格ＩＳＯ６２（類似）に基づく吸水率（２３℃の水で飽和）が０，３から０，７％、特に約０，５％；○  試験規格ＩＳＯ６２（類似）に基づく吸湿率（平常の天候の際２３℃及び５０％の相対湿度で飽和）が０，２から０，３％、特に約０，２５％；○  試験規格ＩＳＯ１１３３に基づくメルトボリュームレートＭＶＲ（２５０℃及び２，１６ｋｇのとき）が９０から１３０、特に１００から１２０、特に１１０ｃｍ３／１０分；○  射出成形における加工のための溶融温度範囲が２３５から２８５℃、特に２４５℃から２７５℃又はこの間隔内；○  射出成形における加工のための工具温度範囲が３５℃から８０℃、特に４０℃から７０℃、又はこの間隔内；○  試験規格ＩＳＯ５２７−１／−２（１ｍｍ／分）に基づく弾性率が２１００から３１００ＭＰａ、特に２２００から２６００ＭＰａ、特に約２４００ＭＰａ；○  試験規格ＩＳＯ５２７−１／−２（５０ｍｍ／分）に基づく降伏応力が５１から６１ＭＰａ、特に約５６ＭＰａ；○  試験規格ＩＳＯ５２７−１／−２（５０ｍｍ／分）に基づく降伏歪みが１，８％から２，８％、特に約２，３％；○  試験規格ＩＳＯ５２７−１／−２（５０ｍｍ／分）に基づく公称破断歪みが１０％から１８％、特に約１４％；○  試験規格ＩＳＯ１７９／ｌｅＵに基づくシャルピー衝撃値（２３℃のとき）が１１２から１３２ｋＪ／ｍ２、特に約１２２  ｋＪ／ｍ２；○  試験規格ＩＳＯ１７９／ｌｅＡに基づくシャルピー切欠き衝撃値（２３℃のとき）が２，７から３，７ｋＪ／ｍ２、好適には３，０から３，４ｋＪ／ｍ２、特に約３，２ｋＪ／ｍ２；○  試験規格ＩＳＯ７５−１／−２に基づくＨＤＴ−Ａ値（最大１，８Ｎ／ｍｍ２までの曲げ応力下での耐熱変形性）が４９℃から５９℃、特に約５４℃；○  試験規格ＩＳＯ７５−１／−２に基づくＨＤＴ−Ｂ値（最大０，４５Ｎ／ｍｍ２までの曲げ応力下での耐熱変形性）が１１２から１５２℃、より良好には１２７から１４７℃さらに良好には１３２から１４２℃、特に約１３７℃；○  試験規格ＩＳＯ３０６（ＶＳＴ／Ａ／５０、１０Ｎ、５０Ｋ／ｈ）に基づくビカット軟化温度が２０１℃から２３１℃、より良好には２０６℃から２２６℃、特に約２１６℃；及び／又は、○  試験規格ＩＳＯ３０６（ＶＳＴ／Ｂ／５０、１０Ｎ、５０Ｋ／ｈ）に基づくビカット軟化温度が１６５℃から１９５℃、より良好には１７０℃から１９０℃、特に約１８０℃である。【００１６】  このように本発明は明確にＰＢＴにではなく、一般的に上記の値の範囲に限定される。ＰＢＴはいずれにせよ従来の知見によると好適な実施形態のためのポリマーである。【００１７】  ＰＢＴ合成樹脂は一方で香味を気密に保つのみならず、修正を行いやすい。修正により合成樹脂は、特殊な追加処置なしで、抽出機中の抽出圧を構築するその底部のフランジ上の、シーリングリングによって密閉できるほど柔軟である。これによってカプセルは混合包装をしなくても耐久性を保つのみならず、製造コストが低い。さらには得られた合成樹脂は適応した成形において、抽出媒体の注入のため、穿刺ナイフが良好に穿刺できるほど脆い。【００１８】  第２の材料が合成樹脂に混合されるように、修正は非常に良好に混合物を有することができる。混合は好適にはすでにカプセルの形成工程前、つまり例えば射出成形前に行われる。混合は押出機で、又は押出の後で行われることが特に良好に想定できる。【００１９】  カプセルの好適な実施形態は熱可塑性エラストマー、特に熱可塑性ゴムを有する。ゴムは試作試験において理想的であると判明した。【００２０】  混合物が均質であるとき、修正された合成樹脂は非常に容易に加工される。【００２１】  前述の修正に加えて、カプセル頭部及び／又はカプセル壁は、特に混合物の形でガスバリア性材料を有することができ、そのときガスバリア性材料は合成樹脂に対する酸素からのガス発生を低減する。【００２２】  ガスバリア性材料は、それがある限りにおいて特にシリカであるシリコンを有し、及び／又はガスバリア性材料は混合ポリアミドを有し、及び／又はガスバリア性材料はアルコール溶液を用いて塗付され、特に噴射され、又は浸漬浴で塗付されることが提案される。【００２３】  シリコンは異なる物理化学的方法で合成樹脂壁に良好に塗付されるのみならず、適切な塗付が行われる際、連続したガラス層が生じる。これは当発明者の試作試験によれば同様に気密であり、カプセルは袋形などのそれ以上の混合包装なしに、少なくとも１年間言及に値するほどの香味の漏出なく貯蔵されることができる。ガラス層が厚く形成されるほど気密に、カプセルは香味を密封する。いくつかの試作では、２年後にもまだはっきりとした香味の低減が生じないことを当発明者が保証するほど、ガス流出は微量だった。【００２４】  コポリアミドの適用の際、好適には高いバリア作用を有する合成樹脂が使用される。【００２５】  コポリアミドには５％から２０％のバリア粒子及び／又はバリア性樹脂の混合物が好適に使用される。【００２６】  好適にはバリア層が壁上に表面層として塗着され、それもカプセルの外側及び／又は内側に向けられる。当発明者の現在の開発状況によると、カプセルの内側に向かうバリア層の設置が好適である。そうすると例えばエンドユーザがカプセルを取り扱う際の、外からの表面への何らかの機械的作用が、カプセルの気密性を脅かさないからである。【００２７】  表面層は理想的にはカプセル壁及びカプセル頭���の全表面を内側及び／又は外側に向かって被う。【００２８】  特にバリア材料としてシリコン又はシリカを使用するとき、当発明者の試験では特に有利な層厚は少なくとも約３０ｎｍ又は４０ｎｍ、好適には少なくとも７０ｎｍ、特に中間の層厚は７０ｎｍから７５ｎｍであるという結果になった。【００２９】  本特許申請書枠内の値の範囲の記載は、閉じた間隔としてではなく、それぞれの文脈で相反する見解が生じない限り、開いた間隔として理解されるべきであることを、ここで明記しておきたい。この上記の例では、間隔の限界として一方で７０ｎｍ、もう一方で７５ｎｍが挙げられている。両限界は通常大まかな制限として理解され、僅かにそれ以下又はそれ以上の大きさもまだ間隔として把握される。それ以下それ以上の限界のない閉じた間隔は、それぞれ特別の明確に開示された特徴の組み合わせとして理解される。【００３０】  又、「１」、「２」などの数、又は単なる冠詞などの記載は、それぞれの文脈で相反が生じない限り、それぞれ最小限の記載として理解されるべきであることもここで指摘しておきたい。つまり「１つの層」と記述されたとき、それは「少なくとも１つの層」として理解され、例えば複数の層が重なり合うことがあり、又は例えば１つの層がカプセルの内側に、及び１つの層が外側にありうる。【００３１】  カプセルの製造方法のために、表面層がプラズマ蒸着層でありうることが判明した。プラズマ蒸着層は、例えばシリカによって非常に良好に実施できる。【００３２】  本発明の第２の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセルは、カプセルがカプセル底部上に立つ場合、カプセル頭部が平らに延びる頭部領域を具有することを特徴とし、そのとき頭部領域が連続的に閉鎖されて成形され、特に少なくとも約０，３ｍｍ又は少なくとも約０，３５ｍｍの壁厚を有し、そのとき頭部領域内により薄い壁厚を有する、弱化された領域が設けられる。【００３３】  このようにして作られた弱化された領域は、端的に適切な形を表す「穿孔環」と名付けられることができる。それによって、香味の気密性及びカプセルの機械的な安定性が保証されるほど大きな材質厚がカプセル頭部にも優勢にもたらされ、そのとき穿孔環における材料の弱化によって、抽出媒体の充填のための穿刺ナイフがより容易にカプセル頭部から進入できる。【００３４】  弱化された領域は約０，１５ｍｍから約０，３ｍｍの壁厚を有することができ、それは非常に有利であることが試験の際に証明された。特にこのように薄い素材の場合、穿孔の間に大きすぎる力は発生しないため、穿刺ナイフが引っ掛かる確率は低い。【��０３５】  弱化された領域が半径方向外側に、つまりカプセル壁の方向にも、半径方向内側、つまりカプセル頭部の中心に向かう方向にも、隣接する弱化された領域より強い壁厚を持ち、そのとき弱化された領域が、好適には、環装された、壁厚という観点で弱化された環を有するとき、弱化された環に対して導入された開封ナイフは、隣接する壁厚を通すよりもよりいっそう容易に進入できる。なぜならそこでは弱化された環は半径方向内側、及び半径方向外側により強く保護されているからである。【００３６】  弱化された環が、周囲の壁厚の７５％以下、特に５０％以下、好適には２５％から３５％、及び／又は特に０，１ｍｍから０，３ｍｍ、特に約０，１５ｍｍから０，２５ｍｍの壁厚を有し、そのとき周囲の壁厚は好適には０，３ｍｍから１ｍｍ、特に０，３５から０，７ｍｍ、特に約０，５ｍｍでありうることが提案される。【００３７】  カプセル底部上に立つカプセルの場合、弱化された環を通る直交線が垂直線に対して３０°以下、好適には約１５°から２５°の鋭角を占めることができる。所定の穿孔箇所の領域には、このような形態の場合常に、カプセル頭部上のどちらかと言えば水平な、しかし完全に水平ではない領域がある。【００３８】  弱化された環を外から、つまりエンドユーザには不可視に保つために、弱化された領域、特に弱化された環が、半径方向外側から及び／又は半径方向内側から生じる、好適には環状の壁厚の先細りを頭部領域の内側に有し、それに対し頭部領域の外側で、弱化された領域の境界、好適には全ての境界の表面が同一平面上を通るため、弱化領域の薄い壁厚が外からは不可視であることが提案される。【００３９】  本発明の第３の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によってカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセルは、カプセル頭部が全体的に円蓋のように湾曲することを特徴とし、そのとき中央領域は平らで、同様に円蓋形又は特に窪み形に形成されることができ、そのとき円蓋形は球状である。【００４０】  円蓋形は突き刺す力に抵抗するために理想的であることが判明した。【００４１】  「円蓋のような」湾曲とは、本特許申請の枠内で、カプセル頭部の表面を、カプセル底部上に立つカプセルを横から見る際に、断面、つまりシルエットに曲線の延びを有することを意味する。円蓋形という概念にはつまり円錐又は円錐台は含まれない。実際には一般にナイフである、投入される穿孔器に充分な安定性で対向し、カプセル頭部全体を押圧するのではなく、合目的的な切り込みをもたらすためには、少なくともカプセル頭部の半径の一部の上の湾曲形の延在部分には、非常に僅かな材質強度がすでに充分であることが示された。【００４２】  円蓋の中心領域は別の形に形成されてもよい。【００４３】  円蓋形はカプセル頭部の外縁まで延在しなくてよいことを明確に強調しておきたい。カプセル頭部の半径の一部のみが円蓋形に成形されていればすでに充分である。【００４４】  これとは関係なく−市場に既存のカプセルは、カプセル頭部のすぐ下、及びすなわち  −カプセル底部上に立つカプセルの場合  −  抽出材料の上に、カプセル頭部から流入する抽出媒体のための分配器を有することを当発明者は観察した。通常ここでは、上方から溜まる抽出媒体を面に分配し通過させるフリース又はその他の部品が設けられる。実際の効果としてカプセル頭部にもたらされた、通常単なる点又は切れ目形である穿孔は、それにもかかわらず抽出媒体の全面散布を引き起こす。【００４５】  当発明者の知見によると、このようなやり方は有利に見えても、いずれの場合においても必ずしも有利ではなく、実施形態によっては不利になることさえある。特にいわゆるシャワー分配器中の圧力構成の場合、圧力も減退するため、コーヒーは具体的な実施形態によっては味覚としてはむしろパーコレータで浸出されたコーヒーのような味がし、つまり圧力抽出法の利点そのものが完全に発揮されない。【００４６】シャワー分散のない合成樹脂カプセルはそれに対し、コーヒー飲料の味でも、泡の形成、つまりいわゆるクレーマにおいても非常に優れた成果を収めた。【００４７】  本発明の第４の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセルは、カプセル頭部がカプセル底部上に立つカプセルの場合、平らに延びる頭部領域を有することを特徴とし、そのとき頭部は半径方向の延在方向要素を有する多数の溝を有し、特に多数の半径方向に配置された溝を有する。【００４８】  カプセル頭部のこのような形成は、さらにカプセル頭部に必要な安定性を与えることに寄与する。溝などによってカプセル頭部は、多数の、カプセル底部上に立つカプセルの場合むしろ垂直に延びる部分断面を有し、それはカプセル頭部の慣性モーメントを拡大する。【００４９】  放射状に配置された溝の場合、通常接線方向に向けられたナイフには、抽出媒体を充填するため、カプセル頭部に予め設定された切れ目を入れることがより容易である。【００５０】  本発明の第５の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底��箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセルは電子通信装置のためのレスポンダを有するため、抽出機に配置された通信装置は無線でカプセルからの情報を得ることができ、そのときレスポンダは無線で読み取り可能なデータ記憶媒体、特にバーコード担持体又は共振回路、特にＲＦＩＤチップを有し、及び／又は誘導センサ用に読み取ることができ、そのためレスポンダはカプセルの人工樹脂用の導電性混合物を有し、及び／又は特に金属製の溝又はニットである導体層を有する。【００５１】  抽出機が適切なレーザーを有するとき、例えば抽出媒体の充填量及び／又は充填速度及び／又は構成する圧力という観点から、例えば機械が正しい抽出値に設定されていることが、保証される。又例えば、機械が安全上の理由から機械製造者に設定された又は認可されたカプセルのみでしか作動しないことが保証される。【００５２】  あらゆる場合において、実際に同機用に設けられたカプセルだけが使用されることを、抽出機が検査できることを非常に良好に保証できる。間違った応答信号が得られるとき、又は何の応答信号も得られないとき、抽出機は抽出工程を拒否する。【００５３】  誘導性又は導電性のレスポンダに関わらず、抽出機は色認識機を有することが企図される。色認識機が例えばカプセル内容物の様々な種類を、色による標識を基に認識するように設定される。【００５４】  本発明の第６の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセル底部は円環板状のフランジを有し、そのときフランジの上側、つまりフランジのカプセル頭部の方向を示す側が、抽出機のシーリングリングと協働するためのシール面として設計されており、そのときカプセルは、上側が半径方向にフランジの半径方向の外縁内に、好適には外縁よりもカプセル壁により近接して配置された環状の隆起部形ウェブシールを有することを特徴とし、そのとき好適にはフランジに第２環状隆起部が、特にフランジの外縁に設けられる。【００５５】  このような構造の場合、単一の又は複数の環状隆起部が抽出機との非常に安定したシーリングとして役立つ。カプセル底部にフランジを有するカプセル用の抽出機は抽出圧を構築し、そのためにはカプセルが占める空間をフランジで密閉することが必要不可欠である。そのために抽出機はカプセル頭部上でカプセルの周りに、環がカプセルを取り巻くように環を取り付け���。抽出機はその後、環をフランジまで引き下ろす。そこでは上方に突出するウェブシールリングが、そのときシール効果を高めることができる。ウェブは好適には少なくともその土台において、つまりそれがフランジから隆起するところでカプセルの壁より幅広く、及び／又はフランジより厚いところで非常に堅牢に形成される。好適にはフランジはウェブシールと第２環状隆起部の間にカプセル壁より厚く形成される。【００５６】  本発明の第７の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセルは、カプセル壁がその外側に向く表面に、カプセル壁の高さの一部のみを超えて延在する溝又は波形を有することを特徴とする。【００５７】  カプセル壁の溝又は波形のない領域は、ロゴ又は製品情報を位置付けるために非常に良好に役立つ。【００５８】  カプセル壁への溝又は波形の設置は、カプセルの内部空間に臨界的に多くの容積を失うことなく、常に充分な量の抽出材料をカプセル内に保つための処置であることが判明した。しかし同時にカプセル操作の質が著しく向上する：当発明者の試験は、溝又は波形が設けられた表面はカプセル容器に、つまり例えば機械内に、付着しにくいことを示した。カプセル取り出しの確実性はそれによって向上し、又、従来技術から公知であるような従来の平滑な壁の場合における以上の材料を消費することなく、カプセルへの軸力に対する壁の座屈負荷が増大する。【００５９】  さらに、溝又は波形がカプセル壁の高さの一部に渡ってのみ延在するとき有利であることが示された。一方のカプセル底部のフランジの接続部と、もう一方のカプセル頭部への移行縁の間にあるカプセル壁の高さの一部には、溝又は波形がなく、特に外に向かう表面は完全に平滑であり、好適には内に向かう表面も平滑である。【００６０】  そのような実施形態は、溝又は波形のない面はむしろ下方に、又は理想的には直接カプセル底部のカプセル壁との接続部に近接して配置されるとき特に有利である。そこではカプセルの直径がカプセル壁のさらに上部よりも大きいため、平滑な壁であってもすでに優れた機械的安定性を提供する。【００６１】  カプセル底部上に立つカプセルの場合、好適には垂直で中心的な、その上に溝又は波形を投射できるカプセル体の回転軸がある。それは簡単な言葉で言うと、立ったカプセルを横から見たとき、溝又は波形が垂直に延び、理想的にはつまり、波形及び溝の縁の（想定される）延長がカプセル頭部を越えて上部に向かうとき、全てが１つの（想定される）共通の刻み目を有することに他ならない。これはカプセルをホルダから軸方向に取り出すことを容易にする。【００６２】  ��発明の第８の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセルには好適には抽出材料が充填され、そのときカプセル壁が下部円錐台形領域及び上部円錐台形領域を有し、そのとき上部円錐台形領域が下部円錐台形領域より急傾斜の壁の傾斜を有し、そのとき好適には両円錐台形領域の間に、下部円錐台形領域の上端を上部円錐台形領域の下端に移行し、特に好適には円錐台形の環として形成される凸部が配置される。【００６３】  当発明者はその実験において、このような実施形態を好適なものと判定したのは、それが著しい量の抽出材料をカプセルの内部に配置できるためである。【００６４】  本発明の第９の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプセル底部に延在し、好適には少なくとも略円錐台形に、又は別の形でカプセル底部からカプセル頭部に向けて先細りするカプセル壁を有し、そのときカプセル底部は、カプセル底部上に立つカプセルの場合、その下方に向けられた側に封止箔を有する、環装されたフランジを有し、そのとき封止箔は好適には、特に抗酸化作用のあるシールラック層とともに下方に向けられ、特にアルミニウムである金属を有する内部層及び、カプセル底部のフランジの合成樹脂との接続をするためのヒートシール接着剤層を有する多層箔として形成され、そのとき特に本観点によるカプセルであるカプセルは、好適には抽出材料で充填され、そのとき封止箔はヒートシール接着剤を用いてフランジと密着される。【００６５】  理想的には、ヒートシール接着剤はヒートシール接着剤の合成樹脂と、約２０５℃から約２２５℃、特に約２１０℃から２２０℃の温度で接着される。この温度枠は提案された合成樹脂、特にＰＢＴの使用とともに理想的に作用する。【００６６】  アルミニウムは例えば坪量３から１０ｇ／ｑｍ、特に約６ｇ／ｑｍを有する。【００６７】  本発明の第１０の観点によると、コーヒー、茶などの抽出材料の受容のための、及び、特に熱い、ほぼ沸騰した、又は加熱された水である抽出媒体が加えられるとき、カプセル内で抽出をするための容器としてのカプセルが、課された課題を解決し、そのときカプセルは抽出媒体を加えるために穿孔器が穿刺するカプセル頭部を有し、さらに特に底部箔である底部封止によって封止されたカプセル底部を有し、カプセル頭部からカプ���ル底部に延在し、好適には少なくとも略円錐台形に、又は別の形でカプセル底部からカプセル頭部に向けて先細りするカプセル壁を有し、そのときカプセル壁はその上部三分の一又はその上部半分において同一の壁厚を有し、そのときカプセル壁は、上部半分、又は上部三分の一のところでカプセル壁から内側に突出した積層突起、特に継続的又は断続的に形成された環装された環を、又は好適には被連続的な突起として有する。【００６８】  好適にはこれは、積層突起が、カプセル壁からカプセル頭部への移行部における外径より小さい自由内径を有し、２つの同一の重なり合うカプセルの場合に、内側のカプセルのカプセル壁からカプセル頭部への移行部が、外側のカプセルの積層突起で停止するように構築される。【００６９】  カプセルはそのとき優れた集散貨物として提供される。積層突起が環装された環として製造されず、個別にカプセルの周囲に均等に、又は不均等に分配されるとき、カプセルは製造の際、容易に脱型する。【００７０】  カプセルは複数の上記に挙げられた発明の観点の特徴を同時に、しかも特に全ての上記に挙げられた発明の観点を、任意の組み合わせで有することができることを明言しておきたい。【００７１】  次に本発明は実施形態例に基づき、図を参照に詳細に説明される。
【図面の簡単な説明】
【００７２】
【図１】本発明の第一実施形態による、その中に含まれた挽かれたコーヒーの形状の抽出材料を有するカプセルを斜め上方からの斜視図で概略的に示す図である。
【図２】図１のカプセルの側面図を示す図である。
【図３】図１及び図２のカプセルの断面を示す図である。
【発明を実施するための形態】
【実施例１】
【００７３】  図のカプセル１はそれぞれ実質的にカプセル頭部２、カプセル壁３及び、半径方向に突出するフランジ５を有するカプセル底部４から成る。【００７４】  カプセル１の内部には挽かれたコーヒー粉が充填される。カプセル底部４は（隠された）封止箔で閉鎖されている。【００７５】  フランジ５はシール領域６を有する。これは好適には、抽出機の環状の封止ダイに対するウェブシールのための堅牢なウェブ７の形状の、環装された環を有する。【００７６】  カプセル壁３はそれぞれ下部領域１０及び上部領域１１に分割される。下部領域１０と上部領域１１の間には小さな環状の後退部１２がある。【００７７】  カプセル壁３の下部領域１０は、カプセル頭部２からそれぞれの移行環を経てカプセル底部４にかけて円錐台形に拡大する。カプセル壁３の上部領域１１は、例えば下部領域１０と同じ角度で延長されることができ、又はそれはより少なく又はより強く先細りすることができ、又はそれは例えば筒形に形成されることもできる。【００７８】  カプセルの例では、移行環１０’が独立して円錐台形に形成されている。【００７９】  カプセル頭部２は、直接カプセル壁３に向かう縁１４から始まる円蓋１３を有する。それに対して中心領域１５では、円蓋１３が延長せず、カプセル１の内部に向けられた窪みに戻る。【００８０】  図１、２及び３のカプセル４１は繰り返し円蓋形の外部領域４３及び窪み形の中心領域４４を有するカプセル頭部４２から成る。カプセル頭部はカプセル壁４６への移行環４５まで延在する。カプセル壁４６は３つの領域へのカプセル４１の軸方向の延在に分割される：それらは下部領域４７、中間領域４８及び上部領域４９である。下部領域４７は平滑な表面５０である。平滑な表面５０を有する環の上方は中間領域４８に繋がる。これはカプセル壁４６の軸方向延在の半分以上の上まで長手方向に延びる（例示的に符号が付された）溝５１を有する。それらは上方で筒形に形成され、カプセル頭部４２を有する移行縁４５まで届く上部領域４９に接続する。【００８１】  ここで示されるカプセルの容積は非常に大きい。しかし使用される材料の場合、その量は１，５ｇのみである。【００８２】  製造方法として様々な選択肢が考慮される：バリア層が設けられ、中にあるとき、例えば二成分射出成形法を使うことができる。最初に壁が射出され、継いでバリア層が噴射される。又はバリア層が射出されてから、壁が噴射される。【００８３】  二成分射出成形法の代わりに、例えば壁を射出することができ、その後すぐにバリア層が噴射されるか、プラウスマ被覆を施すことができる。【００８４】  バリア層が設けられ、外にあるとき、特にまず壁が射出され、その後にバリア層が噴射されるか、又はその逆である、二成分射出成形法が推奨される。二成分射出成形法の代わりに、まず壁が射出され、そのすぐ後に、バリアが例えば浸漬、被膜、又は蒸着などの他の塗付方法で塗付されることができる。【００８５】  最終的に得られたカプセルは、現在好適な実施形態によると好適には単色である。外側には３つの異なる表面構造がある：上部には環装された凸形隆起部が設けられている。隆起部は無光沢である。異なる無光沢の隆起部間のエッジ形の谷間はつ���り波形の谷間であり、高光沢に仕上げられる。【００８６】  平滑なロゴ面は、無光沢面又は例えばレリーフとしての、例えばコーヒー提供者のロゴを有する隆起部がない、高光沢面である。【００８７】  下部には、平滑な高光沢の円錐形の球状体があり、それは最終的に丸みを帯びた効果を有する環装された高光沢の非鉄に移行する。【００８８】  表面内部は好適には全て高光沢である。【００８９】  全ての縁は好適には少なくとも０，１ｍｍ半径の丸め処理で形成されている。封止箔は外に向かってカプセル体と同色であるべきである。コーヒー提供者のブランドロゴは刻印されることができる。【００９０】  約０，５ｍｍの連続的な壁の厚さ、及び０，６ｍｍの非鉄の最大の厚さが提案され、目的とされる。カプセル頭部の厚く製造された穿孔領域では、壁の厚さが好適には０，５ｍｍ以下又は０，４ｍｍ以下に縮小される。【００９１】独立した、及び上記の発明の観点から自由に組み合わせることのできる性質として、壁の厚さを０，３ｍｍ以下、好適には約０，２ｍｍ、又はそれ以下に縮小することが提案される。【００９２】  図は様々な形状及び実施形態において本発明の可能な変形の選択肢の一部を示す。そこに含まれる特徴は、本発明の主題を正確に特定するために利用できるが、これらは必ずしも限定的に理解されるものではないことを、明確に強調しておきたい。全ての寸法は純粋な実施例であり、従って同様に必然的数値として理解されなくてよい。
【手続補正２】
【補正対象書類名】特許請求の範囲
【補正対象項目名】全文
【補正方法】変更
【補正の内容】
【特許請求の範囲】
【請求項１】
コーヒー、茶などの抽出材料の受容のための、及び、特に熱い、ほぼ沸騰した、又は加熱された水である抽出媒体が加えられるとき、カプセル内で抽出をするための容器としてのカプセルであり、そのとき前記カプセルは、抽出機内の前記カプセルの企図された流動方向により、前記抽出媒体の流入又は流出のために穿孔器が穿刺するカプセル頭部を有し、さらに特に底部箔である底部封止によって封止されたカプセル底部を有し、前記カプセル頭部から前記カプセル底部に延在し、好適には少なくとも略円錐台形に、又は別の形で前記カプセル底部から前記カプセル頭部に向けて先細りするカプセル壁を有し、そのとき前記カプセルには好適には前記抽出材料が充填され、前記カプセル頭部及び／又は前記カプセル壁及び／又は前記カプセル底部、特に前記カプセル底部に配置されたフランジが合成油脂を有し、具体的には、・ポリブチレンテレフタレート（ＰＢＴ）及び／又は  ＰＢＴ系合成樹脂及び／又は・次の性質のうちの２、３、４、５、６、７、８、９、１０、１１、１２、１３、１４、１５又は全１６項を有する前記合成樹脂を有することを特徴とする：○  試験規格ＩＳＯ３０７、１１５７、１６２８に基づく粘度数が８０から１００、特に８３から９３、特に約８８ｃｍ３／ｇであり、０，００５ｇ／ｍｌのフェノールと１，２のジクロロベンゼンの比が１：１である溶液を有する；○  試験規格ＩＳＯ６２（類似）に基づく吸水率（２３℃の水で飽和）が０，３から０，７％、特に約０，５％；○  試験規格ＩＳＯ６２（類似）に基づく吸湿率（平常の天候の際２３℃及び５０％の相対湿度で飽和）が０，２から０，３％、特に約０，２５％；○  試験規格ＩＳＯ１１３３に基づくメルトボリュームレートＭＶＲ（２５０℃及び２，１６ｋｇのとき）が９０から１３０、特に１００から１２０、特に１１０ｃｍ３／１０分；○  射出成形における加工のための溶融温度範囲が２３５から２８５℃、特に２４５℃から２７５℃又はこの間隔内；○  射出成形における加工のための工具温度範囲が３５℃から８０℃、特に４０℃から７０℃、又はこの間隔内；○  試験規格ＩＳＯ５２７−１／−２（１ｍｍ／分）に基づく弾性率が２１００から３１００ＭＰａ、特に２２００から２６００ＭＰａ、特に約２４００ＭＰａ；○  試験規格ＩＳＯ５２７−１／−２（５０ｍｍ／分）に基づく降伏応力が５１から６１ＭＰａ、特に約５６ＭＰａ；○  試験規格ＩＳＯ５２７−１／−２（５０ｍｍ／分）に基づく降伏歪みが１，８％から２，８％、特に約２，３％；○  試験規格ＩＳＯ５２７−１／−２（５０ｍｍ／分）に基づく公称破断歪みが１０％から１８％、特に約１４％；○  試験規格ＩＳＯ１７９／ｌｅＵに基づくシャルピー衝撃値（２３℃のとき）が１１２から１３２ｋＪ／ｍ２、特に約１２２  ｋＪ／ｍ２；○  試験規格ＩＳＯ１７９／ｌｅＡに基づくシャルピー切欠き衝撃値（２３℃のとき）が２，７から３，７ｋＪ／ｍ２、好適には３，０から３，４ｋＪ／ｍ２、特に約３，２ｋＪ／ｍ２；○  試験規格ＩＳＯ７５−１／−２に基づくＨＤＴ−Ａ値（最大１，８Ｎ／ｍｍ２までの曲げ応力下での耐熱変形性）が４９℃から５９℃、特に約５４℃；○  試験規格ＩＳＯ７５−１／−２に基づくＨＤＴ−Ｂ値（最大０，４���Ｎ／ｍｍ２までの曲げ応力下での耐熱変形性）が１１２から１５２℃、より良好には１２７から１４７℃さらに良好には１３２から１４２℃、特に約１３７℃；○  試験規格ＩＳＯ３０６（ＶＳＴ／Ａ／５０、１０Ｎ、５０Ｋ／ｈ）に基づくビカット軟化温度が２０１℃から２３１℃、より良好には２０６℃から２２６℃、特に約２１６℃；及び／又は、○  試験規格ＩＳＯ３０６（ＶＳＴ／Ｂ／５０、１０Ｎ、５０Ｋ／ｈ）に基づくビカット軟化温度が１６５℃から１９５℃、より良好には１７０℃から１９０℃、特に約１８０℃である。
【請求項２】
前記カプセル頭部及び／又は前記カプセル壁及び／又は前記カプセル底部、特に前記カプセル底部に配置されたフランジが前記合成樹脂の球体圧入硬度を低下させる修正を混合物の形で有することを特徴とする、請求項１に記載のカプセル。
【請求項３】
前記修正、特に前記混合物が熱可塑性エラストマー、好適には熱可塑性ゴム（ＴＰＫ）を有することを特徴とする、請求項１又は２に記載のカプセル。
【請求項４】
前記人工樹脂との前記混合物が均質な混合に加工されることを特徴とする、請求項２又は３のいずれか一項に記載のカプセル。
【請求項５】
前記カプセル頭部及び／又は前記カプセル壁が、特に混合物の形のガスバリア性材料を有し、そのとき前記ガスバリア性材料が、前記合成樹脂に対する酸素からのガス発生を低減することを特徴とする、請求項１に記載のカプセル。
【請求項６】
前記ガスバリア性材料が、特にシリカであるシリコンを有し、及び／又は前記ガスバリア性材料が混合ポリアミドを有し、及び／又は前記ガスバリア性材料がアルコール溶液を用いて塗付され、特に噴射され、又は浸漬浴で塗付され、及び／又は前記合成樹脂が壁として形成され、そのとき前記ガスバリア性材料はバリア層として壁上に表面層として配置され、さらに前記カプセルの外側及び／又は内側に向けられることを特徴とする、請求項５に記載のカプセル。
【請求項７】
表面層が前記全表面を前記内側及び／又は前記外側に向かって被い、及び／又は前記表面層は少なくとも３０ｎｍ又は４０ｎｍの層厚を有し、好適には少なくとも約７０ｎｍを有し、特に中間の層厚は７０ｎｍから７５ｎｍであり、及び／又は前記表面層がプラズマ蒸着層であることを特徴とする、請求項６に記載のカプセル。
【国際調査報告】
2016501561.tif 000011
2016501561.tif 000012
2016501561.tif 000013
2016501561.tif 000014
2016501561.tif 000015
2016501561.tif 000016
2016501561.tif 000017
2016501561.tif 000018
2016501561.tif 000019
2016501561.tif 000020
2016501561.tif 000021
2016501561.tif 000022